(57)【特許請求の範囲】
【請求項１】
歯磨き用液体が水溶性皮膜でカプセル化されたリンスカプセルを内蔵するデンタルブラシと、デンタルフロス、デンタルピック、歯間ブラシ、タフトブラシ、ポリッシャー、タンクリーナー、歯茎マッサージャー、及び、デンタルミラーから選択される２つが一体化されており、前記リンスカプセルは、前記デンタルブラシの中央に取り付けられ、前記デンタルブラシは、前記リンスカプセルに隣接した位置から前記デンタルブラシの外周に向けて徐々に長く形成されていることを特徴とするデンタルクリーナー。
【請求項２】
歯磨き用液体が水溶性皮膜でカプセル化されたリンスカプセルを内蔵するデンタルブラシと、デンタルフロス、デンタルピック、歯間ブラシ、タフトブラシ、ポリッシャー、タンクリーナー、歯茎マッサージャー、及び、デンタルミラーから選択される３つが一体化されており、前記リンスカプセルは、前記デンタルブラシの中央に取り付けられ、前記デンタルブラシは、前記リンスカプセルに隣接した位置から前記デンタルブラシの外周に向けて徐々に長く形成されていることを特徴とするデンタルクリーナー。
【請求項３】
歯磨き用液体が水溶性皮膜でカプセル化されたリンスカプセルを内蔵するデンタルブラシをヘッドベースの片面に固着したヘッド部と、
ヘッドネックを備えたヘッドネック部と、
ハンドル部と、
テールネックを備えたテールネック部と、
デンタルフロス、デンタルピック、歯間ブラシ、タフトブラシ、ポリッシャー、タンクリーナー、歯茎マッサージャー、及び、デンタルミラーのいずれか一つを備えたテール部とが、この順に接合されて構成されるデンタルクリーナーにおいて、
前記ヘッドベースの前記デンタルブラシの固着面の反対面に、ポリッシャー、タンクリーナー、タフトブラシ、歯茎マッサージャー、及び、デンタルミラーのいずれか一つを備えていることを特徴とする請求項１に記載のデンタルクリーナー。
【請求項４】
歯磨き用液体が水溶性皮膜でカプセル化されたリンスカプセルを内蔵するデンタルブラシをヘッドベースの片面に固着したヘッド部と、
ヘッドネックを備えたヘッドネック部と、
ハンドル部と、
テールネックを備えたテールネック部と、
デンタルフロス、デンタルピック、歯間ブラシ、タフトブラシ、ポリッシャー、タンクリーナー、歯茎マッサージャー、及び、デンタルミラーのいずれか一つを備えたテール部とが、この順に接合されて構成されるデンタルクリーナーにおいて、
前記ヘッドベースの前記デンタルブラシの固着面の反対面に、ポリッシャー、タンクリ
ーナー、タフトブラシ、歯茎マッサージャー、及び、デンタルミラーのいずれか一つを備え、
前記ヘッドネック又は前記テールネックの前記ハンドル部側に連設されるデンタルピック、歯間ブラシ、タフトブラシ、ポリッシャー、タンクリーナー、歯茎マッサージャー、及び、デンタルミラーのいずれか一つが、前記ハンドル部と脱着可能に、前記ハンドル部、前記ヘッドネック部、及び、前記テールネック部のいずれかの内側に形成される内蔵部に収納されることを特徴とする請求項２に記載のデンタルクリーナー。
【請求項５】
前記ヘッド部の前記デンタルブラシを備えた前記ヘッドベースの反対面に、ポリッシャーを備え、
前記テール部に、デンタルフロス、デンタルピック、歯間ブラシ、タフトブラシ、タンクリーナー、歯茎マッサージャー、及び、デンタルミラーの少なくともいずれか一つを備えることを特徴とする請求項３又は４に記載のデンタルクリーナー。
【請求項６】
前記ヘッド部の前記デンタルブラシを備えた前記ヘッドベースの反対面に、タンクリーナーを備え、
前記テール部に、デンタルフロス、デンタルピック、歯間ブラシ、タフトブラシ、ポリッシャー、歯茎マッサージャー、及び、デンタルミラーの少なくともいずれか一つを備えることを特徴とする請求項３又は４に記載のデンタルクリーナー。
【請求項７】
前記テール部がデンタルフロスであることを特徴とする請求項１〜６に記載のデンタルクリーナー。
【発明の詳細な説明】
【技術分野】
【０００１】
本発明は、健康的かつ清潔な歯及び口腔を保つための、便利で使い易く、総合的な機能に優れた、デンタルブラシ、デンタルフロス、デンタルピック、タフトブラシ、歯間ブラシ、ポリッシャー、タンクリーナー、歯茎マッサージャー、デンタルミラー、及び、リンスから選択される機能が複数一体化されたデンタルクリーナーに関する。【０００２】
特に、本発明のデンタルクリーナーは、プラークやステイン等を取り除く機能に優れているだけでなく、舌の汚れ（舌苔）を落とし、歯茎をマッサージする機能を付与することができるため、虫歯や歯周病等から守るだけでなく、口臭を予防し、歯を白く、清潔に保つことができる上、携帯しやすく、水やペーストを必要とすることがなく、いつでもどこでも使用することができるという特徴を有する。更に、歯及び口腔内を観察する機能も付与することができる。
【背景技術】
【０００３】
食物を摂取するために必要な歯は、身体の健康を維持するために最も重要な部位の一つである。いつでもどこでも飲食後には必ず歯磨きを行う習慣を身に付け、歯に強固に付着した歯垢（プラーク）を除去し、虫歯や歯周病等から守る必要がある。また、歯磨きは、虫歯や歯周病から守るだけでなく、歯を白く見せ、口臭を消すことにもなるので、健康的で清潔な印象を人に与えることができる。特に、プラークは、唾液に含まれる糖タンパクが歯の表面を覆う薄い皮膜（ペリクル）上に形成される細菌の棲家で、ミュータンス菌（むし歯菌）がショ糖を用いてグリコカリックスというネバネバした物質を歯の表面に作り出し、歯周病菌の棲家ともなる。そして、このプラークは、唾液や血液の無機質成分を吸って固まった歯石になり、虫歯、歯周病、口臭等の原因となるばかりか、心臓病、脳卒中、糖尿病、肺炎等の要因になる場合もある（非特許文献１）。【０００４】
このようにプラークを除去する重要な歯磨きは、一般的に、デンタルブラシとペーストを用いた歯磨きが行われているが、デンタルブラシによって、歯表面のプラークを除去することができても、デンタルブラシの先端が歯間部に届き難く、歯間のプラークを除去する効果が低い。そのため、デンタルフロス、デンタルピック、歯間ブラシ、タフトブラシ等の併用が好ましいと指摘されている（非特許文献２〜５）。【０００５】
特に、デンタルフロスを併用した場合の歯間プラーク除去率は、デンタルブラシだけの場合の５８％に対し、８６％にも達する（非特許文献２）。【０００６】
このようなデンタルフロスには、デンタルフロスを切り取り指に巻き付けて行うロールタイプと、弓状のホルダーにデンタルフロスが張り付けられたホルダータイプがあり、デンタルフロスそのものは、弾力性のあるナイロンやワックス等の可塑剤を含むポリエステルのフィラメントが、数多く撚り合わされたものが現在でも使用されている（非特許文献６及び７）。【０００７】
しかし、従来より、デンタルフロスには、切断し難く歯肉を損傷し難い弾性、摩擦性、強靭性等の問題、プラークを効率よく取り出す除去能力の問題、歯間に挿入し易く、挿入後は歯間に嵌合する圧縮膨張性の問題等に対し、様々な観点から改良が施されてきた。【０００８】
強靭性の問題に対しては、極めて引張強度が高い超高分子量ポリエチレン（ＰＥ）を利用するという技術が検討されている（特許文献１）。しかし、超高分子量のＰＥを細いフィラメントに加工する技術は非常に大きな労力を伴うだけでなく、超高分子量ＰＥの弾性が高過ぎるため、歯肉を損傷する危険性がある。【０００９】
水膨潤性樹脂を用いたフィラメントを用いたデンタルフロスは、歯間に挿入した後、唾液で膨潤することによって歯間に嵌合する圧縮膨張性の問題、プラークを効率よく取り出す除去能力の問題を解決しうる可能性があるが、膨潤したフィラメントの強度の問題が弱点となる（非特許文献６及び特許文献２）。【００１０】
デンタルフロスのフィラメントの太さ、撚るフィラメントの数、撚り数により異なるが、デンタルフロス表面だけでしか行われないプラークの除去を解決するために、数多くのフィラメントを一定間隔で束ねたデンタルフロスが提案されている（特許文献３）。しかしながら、フィラメントが歯に絡むという問題が生じる。【００１１】
更に、デンタルフロスが歯間を快適にスライド可能な操作性、すなわち、デンタルフロスに対する利用者の触感を向上するため、多孔質または中空ポリテトラフルオロエチレン（ＰＴＦＥ）のフィラメントが提案されている（特許文献４）。しかし、フィラメント表面は、材質に由来する触感を向上させる低摩擦性が、逆に、プラーク除去機能を不足させると共に、材質に由来する強靭性の不足による切断も問題になる。このＰＴＦＥの低摩擦性は、ホルダーに装着して容易に抜け落ちるという問題もある。【００１２】
この問題を解決するために、フュームドシリカを添加したＰＴＦＥが提案されているが、一層フィラメントの強靭性を低下させる要因になる（特許文献５）。【００１３】
デンタルフロスを挿入しやすくする手段として、従来のナイロンやポリエステルの撚糸に水溶性高分子を被覆したデンタルフロスが提案されているが、挿入するために唾液で水溶性高分子が溶解するため、従来のナイロンやポリエステルの撚糸のデンタルフロスの課題を何ら解決することはできない（特許文献６）。【００１４】
また、従来のナイロンやポリエステルの撚糸を用いたデンタルフロスのプラーク除去能力を、フィラメントの断面形状を３〜６葉の多葉形状とすることによって解決する方法が提案されているが、ナイロンやポリエステルの材質に基づくデンタルフロスの圧縮変形が困難であるため、歯間への挿入が困難で、歯肉を痛める危険性である上、切断しやすいという問題は解決されない（特許文献７）。【００１５】
このような圧縮変形がし易いデンタルフロスとして、可塑剤を混合したエラストマーが提案されているが、可塑剤はフィラメントの強靭性を著しく低下させる（特許文献８）。【００１６】
このように最適なデンタルフロスは、いまだ見出されていないが、上述したように、デンタルフロスを使用することによって、デンタルブラシとペーストによる歯磨きだけでは落ちにくい歯間のプラークを除去する能力が向上するため、デンタルブラシとホルダー型デンタルフロスを一体化したデンタルクリーナーが提案されている（特許文献９及び１０）。【００１７】
いずれも、携帯性を重視した構成となっているため、デンタルブラシ及びホルダー型デンタルフロスの機能を十分に発揮させる構成ではなく、特に、デンタルフロスを操作することが困難な構成となっている。また、携帯性を備えているとはいえ、ペーストまたはリキッドの歯磨き剤、口を洗浄するための水、口の周囲や手を拭くタオル等を必要とする。【００１８】
一方、デンタルブラシとペーストによる歯磨きだけでは落ちにくい歯間のプラークを除去する能力が向上するために、ホルダー型デンタルフロスだけでなく、アダプターとして、歯間ブラシやタフトブラシ等を備えた電動デンタルブラシも提案されている（特許文献１１）。特に、歯間ブラシを併用した場合の歯間プラーク除去率は、デンタルブラシだけの場合の５８％に対し、９５％にも達し、デンタルフロス以上の効果があると報告されている（非特許文献４）。また、デンタルフロス及び歯間ブラシと比較できるデータではないが、タフトブラシも、デンタルブラシとの併用により、歯間プラークの大幅な除去率向上が認められている（非特許文献５）。この特許文献１１には記載されていないが、デンタルピックも同様の効果を有することが知られている（非特許文献３）。このように、歯間プラークを除去する効果を高めることができるデンタルブラシの補助的デンタルクリーナーを種々組み合わせることは極めて有効であるが、電動式であり、いつでもどこでも使用できる携帯性を備えていないという問題がある（特許文献１１）。【００１９】
このように、デンタルブラシとデンタルフロス等の補助的デンタルクリーナーとの併用によって、歯間のプラークを除去する能力を向上させることはできるが、健康的かつ清潔な歯及び口腔を保つためには、ペリクルと食物のポリフェノールやタバコの脂等が結合した汚れで、黄ばみや口臭の原因となるステインを除去する必要がある（非特許文献８）。これは、口元の美しさは、歯の色が大半を占めていると言われ程、歯の色が与える影響力は大きいことと関連が深く、歯のホワイトニングの希望者が増加している。【００２０】
歯医者等で行われる歯のホワイトニングは、過酸化水素等の漂白剤を用いるが、日頃の歯磨きでステインを除去する方法には、化学的方法と物理的方法がある（非特許文献８、並びに、特許文献１２及び１９）。【００２１】
化学的方法は、ポリリン酸ナトリウム、並びに、炭素数１０以下のグリコール、ポリエチレングリコール、グリセリン、及び、ジグリセリンを含むペーストやリキッド等を歯磨きに使用する方法である。【００２２】
物理的方法としては、ヒュームドシリカ、炭酸カルシウム、リン酸塩等の研磨剤を含むペーストやリキッド等を歯磨きに使用する方法、デンタルクリーナーとしてポリッシャーを使用する方法がある。ポリッシャーは、メラミン樹脂スポンジを使用する方法、及び、ヒュームドシリカ、炭酸カルシウム、リン酸塩等の研磨剤を含むゴム及びデンタルブラシである。【００２３】
化学的方法は、歯を損傷することはないが、ステインを除去する効果は低いという問題があり、物理的方法は、ステインを除去する効果は高いが、歯を損傷するという問題がある。【００２４】
特に、物理的方法は、特別なペーストやリキッドを必要とせず、ポリッシャーだけでステインを除去できるため、デンタルクリーナーとして種々検討されている。その結果、ポリッシャーでも、研磨剤を含むゴム及びデンタルブラシは、デンタルブラシ自体の強度を低下させると共に、材質及び形状に起因して歯との接触面積が小さいという問題があるのに対し、強度の問題もなく、発泡体であるために圧縮変形しやすく、歯との接触面積が大きいメラミン樹脂スポンジが好ましいと考えられたため、手動式及び電動式のメラミン樹脂スポンジを利用したデンタルクリーナーが提案されている（特許文献１３及び１４）。【００２５】
しかしながら、メラミン樹脂スポンジは、発泡剤を混合したメチロールメラミンとホルムアルデヒドの縮合重合によって形成されているため、極めて高い硬度に起因する歯の摩耗の問題と未反応物として生成物に残留するシックハウス症候群の原因であるホルムアルデヒドに起因する問題がある（特許文献１５）。【００２６】
硬度に起因する問題は、メラミン樹脂スポンジが、使用可能な範囲が限定された掃除用スポンジとして幅広く用いられていることから理解される。一般的なプラスチックよりも高い硬度を有しているので、光沢のあるプラスチック製品等の表面を損傷するためである。この硬度は、歯のエナメル質よりも高く、メラミン樹脂スポンジのデンタルクリーナーは、歯及び歯肉を著しく損傷する。なお、研磨剤を含むゴム及びデンタルブラシも、研磨剤による歯及び歯肉の損傷という問題がある。【００２７】
ホルムアルデヒドに起因する問題は、ホルムアルデヒドは、目や気道等の粘膜に刺激を与えるシックハウス症候群の代表的な物質であることに基づいている。未反応物として残留するホルムアルデヒドは、洗浄、中和剤、熱処理等の対策により減少しているが、口腔内の粘膜と接触するデンタルクリーナーとして使用するには、安全性に対する配慮が不可欠である。【００２８】
このような観点から、ポリッシャーとして、スポンジの替わりに、粘着性を有するシリコン等のゴム単体を使用する方法も考えられる（特許文献１６）。しかし、気泡を無数に有するスポンジの構造によるステイン除去効果には至らないものと考えられる。【００２９】
逆に、ポリッシャーだけでは、歯の表面に付着したステイン及びプラークしか除去できないため、ポリッシャーと歯間のプラークを除去するデンタルフロスやデンタルピック等とを一体化させたデンタルクリーナーも提案されている（特許文献１７）。【００３０】
更に、歯及び歯間だけでなく、口腔内の舌及び歯茎も健康的かつ清潔に保つためには、タンクリーナーや歯茎マッサージャーを備えていることが好ましい（非特許文献９及び１０）。【００３１】
舌は、口を開いて見える舌背の表面に味覚を感知する味蕾があり、それを取り囲むようにザラザラした突起状の舌乳頭がある。この舌乳頭に歯垢と同様に細菌の塊である舌苔が付着し、口臭や歯周病の原因になるので、日々取り除くことが望ましい。歯茎は、歯を支える重要な役割を担っており、健康的でなければ、歯周病の原因となるので、歯茎のマッサージも欠かすことができない重要な習慣の一つである。【００３２】
しかし、デンタルフロス、歯間ブラシ、デンタルピック、タフトブラシ等の補助的清掃用具と比較して、知名度が低く、歯磨きと一緒に行うことは極めて少ない。従って、デンタルブラシと一体化していることが望ましい。【００３３】
また、歯、歯間、歯茎、及び、舌の状況、及び、以上に記載された様々な用具を用いて清掃・施行した結果を容易に観察することができれば、口腔内を意識的に健康かつ清潔に保つ誘因となる。しかし、口腔内を習慣がなく、デンタルミラーを用意することは少ないため、タンクリーナー等と同様、デンタルブラシと一体化していることが望ましい。【００３４】
以上のように、健康的かつ清潔な歯及び口腔を保つためのデンタルクリーナーとして、デンタルブラシ、デンタルフロス、デンタルピック、タフトブラシ、歯間ブラシ、ポリッシャー、タンクリーナー、歯茎マッサージャー、及び、デンタルミラー等の様々な材質及び構成が検討されているものの、それぞれに内在する課題を有し、その課題を解消したデンタルクリーナーは見出されていない。【００３５】
一方、いつでもどこでも歯磨きを行うことができる携帯性という観点に基づいた、デンタルブラシとデンタルフロスとを備えたデンタルクリーナーも提案されているが、ペーストやリキッド等の洗浄剤が必要であると共に、口の周辺や口腔内を洗浄するための水が必要である（特許文献９及び１０）。【００３６】
このような携帯性という観点及び経済性という観点から、洗浄剤が内蔵されたデンタルクリーナーが提案されている（特許文献１７、１８、及び、１９）。ここで、経済性というのは、従来の使い捨てデンタルクリーナー用品は、ホテル等でみられるように、デンタルブラシとペーストチューブとがビニール袋に包装されたセット用品で、材料費及び加工費の負担が大きいということである。【００３７】
特許文献１７は、ポリッシャーと歯間のプラークを除去するデンタルフロスやデンタルピック等とを管状部材を介して一体化させ、その管状部材の中にグリセリンやメントール等を含むリキッドやゲル状洗浄剤を内蔵させたデンタルクリーナーが記載されている。構成的にも簡便で、操作的にも、管状部材を指で押圧することによって洗浄剤をポリッシャーに送出するだけの簡単なものである。しかし、ポリッシャーは、スポンジやシリカ及び炭酸カルシウム等の研磨剤を含む樹脂であり、歯を損傷するという問題がある。また、デンタルブラシの機能がないため、ポリッシャーは、歯の表面に付着したプラークとステインを除去しなければならないため、ポリッシャーに掛かる負担が大きい。デンタルブラシでプラークを除去した後にポリッシャーを使用することによって、歯の表面に付着したステインを効果的に除去できるので、スポンジの場合には目詰まり等により、研磨剤を含む樹脂の場合には研磨剤の脱落等により、ステインを除去する効果が著しく低下する。従って、このデンタルクリーナーでは、デンタルブラシも携帯する必要がある。更に、少なくとも口腔内を洗浄するための水が必要である。【００３８】
特許文献１８には、ペーストが内包されたカプセルを内蔵するデンタルブラシが提案されている。この場合は、歯間のプラークを除去するデンタルフロスまたはピックがなく、デンタルブラシの機能しかない。また、ペーストを使用するため、歯磨きのための水及び口腔内を洗浄するための水を必要とする。【００３９】
特許文献１９には、デンタルブラシとデンタルピックとが熱可塑性ゴムで成形された柄を介して一体化され、デンタルブラシの根元に、塩基性アミノ酸、フッ化物イオン、シリカ及び炭酸カルシウム等の研磨剤、及び、増粘剤を含む水またはシンナーが内包されたカプセルを備えたデンタルクリーナーが提案されている。これによれば、ステインを効果的に除去できるポリッシャーを備えていないが、その代替機能を研磨剤に委ねるため、歯を損傷するという問題がある。また、カプセル内の洗浄剤の粘度が低く調整されているため、水を用いることなく歯磨きができると記載されているが、研磨剤を口腔外に排出するためには、口腔内を洗浄するための水は必要であると考えられる。【００４０】
以上、従来提案されてきたデンタルクリーナーを検討した結果、健康的かつ清潔な歯及び口腔を保つための、便利で使い易く、プラークやステイン等を取り除く機能に加え、舌苔を落とし、歯茎をマッサージする機能を有し、虫歯や歯周病等から守るだけでなく、口臭を予防し、歯を白く、清潔に保つことができる上、歯及び歯肉を損傷せず、水を全く必要としない、いつでもどこでも使用可能なデンタルクリーナーは未だ見出されていない。また、歯及び口腔内を観察する機能については全く検討されていない。【００４１】
更に、従来、製造者の意図に基づいた機能が付与されたデンタルクリーナーは提供されてきたが、使用者が重視している機能を備えたデンタルクリーナーは提供されることは困難であった。
【先行技術文献】
【特許文献】
【００４２】
【特許文献１】特開平１−２７４７５４号公報
【特許文献２】特表平６−５０１２３９号公報
【特許文献３】特開平８−１１７２５２号公報
【特許文献４】特表２００３−５０８１１１号公報
【特許文献５】特開２０１０−２０９５１２号公報
【特許文献６】特開２０１０−２１４０１７号公報
【特許文献７】特開２０１３−１９２５８６号公報
【特許文献８】特表２０１３−５１０１７０号公報
【特許文献９】特開平２−２７９１０９号公報
【特許文献１０】特開２００２−３３６０５１号公報
【特許文献１１】特表２０１５−５０３９７４号公報
【特許文献１２】国際公開第２００３／０３０８５１号公報
【特許文献１３】特開２００３−２５０８１８号公報
【特許文献１４】特開２００３−２３５８７５号公報
【特許文献１５】特開２０１４−２１７７２３号公報
【特許文献１６】特開２００６−１０２４８３号公報
【特許文献１７】特表２００７−５０６５０１号公報
【特許文献１８】実用新案登録第３０４３４２７号公報
【特許文献１９】特表２０１１−５１１６６９号公報
【非特許文献】
【００４３】
【非特許文献１】「歯周病」，歯とお口のことなら何でもわかるテーマパーク８０２０ホームページ，ｈｔｔｐｓ：／／ｗｗｗ．ｊｄａ．ｏｒ．ｊｐ／ｐａｒｋ／ｔｒｏｕｌｂｌｅ
【非特許文献２】「デンタルフロス」，公益財団法人ライオン歯科衛生研究所ホームページ，ｈｔｔｐｓ：／／ｗｗｗ．ｌｉｏｎ−ｄｅｎｔ−ｈｅａｌｔｈ．ｏｒ．ｊｐ／ｌａｂｏ／ａｒｔｉｃｌｅ／ｔｏｏｌ／０３．ｈｔｍ
【非特許文献３】「デンタルピック」，株式会社広栄社ホームページ，ｈｔｔｐ：／／ｗｗｗ．ｃｌｅａｒｄｅｎｔ．ｃｏ．ｊｐ／ｉｔｅｍ／ｉｔｅｍ０２．ｈｔｍｌ
【非特許文献４】「歯間ブラシ」，公益財団法人ライオン歯科衛生研究所ホームページ，ｈｔｔｐｓ：／／ｗｗｗ．ｌｉｏｎ−ｄｅｎｔ−ｈｅａｌｔｈ．ｏｒ．ｊｐ／ｌａｂｏ／ａｒｔｉｃｌｅ／ｔｏｏｌ／０４．ｈｔｍ
【非特許文献５】「タフトブラシ」，公益財団法人ライオン歯科衛生研究所ホームページ，ｈｔｔｐｓ：／／ｗｗｗ．ｌｉｏｎ−ｄｅｎｔ−ｈｅａｌｔｈ．ｏｒ．ｊｐ／ｌａｂｏ／ａｒｔｉｃｌｅ／ｔｏｏｌ／０５．ｈｔｍ
【非特許文献６】「デンタルフロスの使い方と注意点〜最適な使用頻度とは？〜」，Ｌｉｄｅａホームページ，ｈｔｔｐｓ：／／ｌｉｄｅａ．ｔｏｄａｙ／ａｒｔｉｃｌｅｓ／４６３
【非特許文献７】デンタルフロス「フロアフロス」，株式会社オーラルケアホームページ，ｈｔｔｐｓ：／／ｗｗｗ．ｏｒａｌｃａｒｅ．ｃｏ．ｊｐ／ｐｒｏｄｕｃｔ／ｐｏｓｔ−２４．ｈｔｍｌ
【非特許文献８】「歯磨きで歯が白くなる？美白効果のある歯磨き粉の特徴や種類」，ＯＲＡＬ  ＦＩＲＳＴホームページ，ｈｔｔｐｓ：／／ｏｒａｌ−ｆｉｒｓｔ．ｃｏｍ／ｂｅａｕｔｙ／４６／
【非特許文献９】「いろいろな補助的清掃用具」，中通歯科診療所歯科通信，ｈｔｔｐ：／／ｗｗｗ．ｍｅｉｗａｋａｉ．ｏｒ．ｊｐ／ｓｉｋａｔｕｕｓｉｎ／ｏｌｄ／ｓｉｋａ２００１−１００２／ｓｉｋａ２０２０３−１．ｈｔｍ
【非特許文献１０】「歯茎マッサージブラシ」，株式会社広栄社ホームページ，ｈｔｔｐ：／／ｗｗｗ．ｃｌｅａｒｄｅｎｔ．ｃｏ．ｊｐ／ｉｔｅｍ／ｉｔｅｍ０４．ｈｔｍｌ
【非特許文献１１】「化学繊維の形」，日本化学繊維協会ホームページ，ｈｔｔｐｓ：／／ｗｗｗ．ｊｃｆａ．ｇｒ．ｊｐ／ａｂｏｕｔ＿ｋａｓｅｎ／ｋｎｏｗｌｅｄｇｅ／ｓｈａｐｅ／ｉｎｄｅｘ．ｈｔｍｌ
【非特許文献１２】村瀬繁満，「異形断面−ナイロン繊維−」，繊維と工業，Ｖｏｌ．５４，Ｎｏ．２（１９９８）ｐｐ．４３−４７
【非特許文献１３】機能素材＆天然石「マイクロアート／ＭＩＣＲＯＡＲＴ / （登録商標）Ｒａｋｕｔｅｎ  ＢＬＯＧ，ｈｔｔｐｓ：／／ｐｌａｚａ．ｒａｋｕｔｅｎ．ｃｏ．ｊｐ／ｓｏｚａｉｙａ１２３／１９１４４
【非特許文献１４】「超異型捲縮繊維ソロテックス（登録商標）オクタ（登録商標）を開発」，帝人フロティア株式会社ホームページ，ｈｔｔｐｓ：／／ｗｗｗ．ｔｅｉｊｉｎ．ｃｏ．ｊｐ／ｎｅｗｓ／２０１８／ｊｂｄ１８１１１３＿０１．ｈｔｍｌ
【非特許文献１５】富士カプセル株式会社ホームページ，「ソフトカプセルとは」，ｈｔｔｐｓ：／／ｗｗｗ．ｆｕｊｉｃａｐｓｕｌｅ．ｃｏｍ／ｓｏｆｔｃａｐｓｕｌｅ／
【発明の概要】
【発明が解決しようとする課題】
【００４４】
本発明は、健康的かつ清潔な歯及び口腔を保つための、便利で使い易く、総合的な機能に優れ、デンタルブラシ、デンタルフロス、デンタルピック、タフトブラシ、歯間ブラシ、ポリッシャー、タンクリーナー、歯茎マッサージャー、デンタルミラー、及び、リンスから選択される機能が複数一体化されたデンタルクリーナーであって、いつでもどこでも使用することが可能なデンタルクリーナーを提供することを目的とする。【００４５】
また、本発明のデンタルクリーナーは、使用者の要望に応じた機能を選択的に容易に一体化できることを目的としている。【００４６】
特に、本発明のデンタルクリーナーは、プラークやステイン等を取り除く機能に優れているだけでなく、舌の汚れ（舌苔）を落とし、歯茎をマッサージする機能を付与することができるため、虫歯や歯周病等から守るだけでなく、口臭を予防し、歯を白く、清潔に保つことができる上、携帯しやすく、水やペーストを必要とすることがなく、いつでもどこでも使用することができるデンタルクリーナーを提供することを目的としており、歯及び口腔内を観察する機能を提供することも目的としている。【００４７】
また、本発明のデンタルクリーナーは、デンタルブラシ、デンタルフロス、デンタルピック、タフトブラシ、歯間ブラシ、ポリッシャー、タンクリーナー、歯茎マッサージャー、デンタルミラー、及び、リンスから、使用者の要望に応じた機能を選択的に容易に複数一体化できることを目的としている。
【課題を解決するための手段】
【００４８】
本発明者は、特殊な歯磨き用液体が水溶性皮膜でカプセル化されたリンスカプセルを内蔵するデンタルブラシに、デンタルフロス、デンタルピック、歯間ブラシ、タフトブラシ、ポリッシャー、タンクリーナー、歯茎マッサージャー、及び、デンタルミラーから選択される２つ又は３つを一体化させることによって、プラークやステイン等を取り除く機能に優れているだけでなく、舌の汚れ（舌苔）を落とし、歯茎をマッサージする機能を付与することができるため、虫歯や歯周病等から守るだけでなく、口臭を予防し、歯を白く、清潔に保つことができる上、携帯しやすく、水やペーストを必要とすることがなく、いつでもどこでも使用することができ、歯及び口腔内を観察できるデンタルクリーナーを提供することができることを見出し、本発明の完成に至った。【００４９】
すなわち、本発明は、歯磨き用液体が水溶性皮膜でカプセル化されたリンスカプセルを内蔵するデンタルブラシと、デンタルフロス、デンタルピック、歯間ブラシ、タフトブラシ、ポリッシャー、タンクリーナー、歯茎マッサージャー、及び、デンタルミラーから選択される２つ又は３つが一体化されていることを特徴とするデンタルクリーナーである。【００５０】
このように、デンタルブラシ以外の用具が２つ又は３つ一体化されることによって、一度の歯磨きで、デンタルブラシによる歯表面のプラークの除去以外に、デンタルフロス、デンタルピック、歯間ブラシ、タフトブラシのいずれかを用いた歯間やデンタルブラシの届きにくい箇所のプラークの除去、ポリッシャーによる歯表面のステインの除去、タンクリーナーによる舌乳頭の舌苔の除去、歯茎のマッサージ、及び、歯や口腔内の観察のいずれか２つ又は３つを同時に行うことができるため、非常に便利である。そして、これらは、使用者の重視する機能に基づいて選択することが可能である。【００５１】
また、歯磨き用液体がデンタルブラシに内蔵されているため、歯磨き用ペーストやリキッド等を準備する必要もないので、携帯しやすいという長所もある。特に、本発明の歯磨き用液体は、後述するように、水を必要としないため、歯磨きの時間及び場所を選ばないという特徴がある。【００５２】
更に詳しくは、本発明のデンタルクリーナーは、歯磨き用液体が水溶性皮膜でカプセル化されたリンスカプセルを内蔵するデンタルブラシをヘッドベースの片面に固着したヘッド部と、ヘッドネックを備えたヘッドネック部と、ハンドル部と、テールネックを備えたテールネック部と、デンタルフロス、デンタルピック、歯間ブラシ、タフトブラシ、ポリッシャー、タンクリーナー、歯茎マッサージャー、及び、デンタルミラーのいずれか一つを備えたテール部とが、この順に接合されて構成されるデンタルクリーナーにおいて、ヘッドベースのデンタルブラシ固着面の反対面に、ポリッシャー、タンクリーナー、タフトブラシ、歯茎マッサージャー、及び、デンタルミラーのいずれか一つを備えており、３つの機能が付与されたデンタルクリーナーである。【００５３】
そして、使用者が重視する機能の用具を自由に選択して備えることができるようにするため、ヘッドネック部とハンドル部及びテールネック部とハンドル部とは、脱着可能であることが好ましい。また、デンタルブラシと、デンタルフロス、デンタルピック、歯間ブラシ、タフトブラシ、ポリッシャー、タンクリーナー、歯茎マッサージャー、及び、デンタルミラーとの操作は全く異なるため、それぞれが操作しやすいように、ハンドル部をフラットな形状、例えば、太鼓状とした場合、操作しやすい向きに自在に回動させ、固定できるように、ヘッドネック部とハンドル部及びテールネック部とハンドル部とは、枢結され、固定可能に嵌装されていることが好ましい。【００５４】
また、本発明のデンタルクリーナーは、歯磨き用液体が水溶性皮膜でカプセル化されたリンスカプセルを内蔵するデンタルブラシをヘッドベースの片面に固着したヘッド部と、ヘッドネックを備えたヘッドネック部と、ハンドル部と、テールネックを備えたテールネック部と、デンタルフロス、デンタルピック、歯間ブラシ、ポリッシャー、タフトブラシ、タンクリーナー、歯茎マッサージャー、及び、デンタルミラーの少なくともいずれか一つを備えたテール部とが、この順に接合されて構成されるデンタルクリーナーにおいて、ヘッドベースのデンタルブラシ固着面の反対面に、ポリッシャー、タンクリーナー、タフトブラシ、歯茎マッサージャー、及び、デンタルミラーの少なくともいずれか一つを備え、ヘッドネック又はテールネックのハンドル部側に連設されるデンタルピック、歯間ブラシ、ポリッシャー、タフトブラシ、タンクリーナー、歯茎マッサージャー、及び、デンタルミラーの少なくともいずれか一つが、ハンドル部と脱着可能に、ハンドル部、ヘッドネック部、及び、テールネック部のいずれかの内側に形成される内蔵部に収納されており、４つの機能が付与されたデンタルクリーナーである。【００５５】
このデンタルクリーナーにおいても、使用者が重視する機能の用具を自由に選択して備えることができるようにするため、ヘッドネック部とハンドル部及びテールネック部とハンドル部とは、脱着可能であることが好ましい。また、デンタルブラシと、デンタルフロス、デンタルピック、歯間ブラシ、タフトブラシ、ポリッシャー、タンクリーナー、歯茎マッサージャー、及び、デンタルミラーとの操作は全く異なるため、それぞれが操作しやすいように、ハンドル部をフラットな形状、例えば、太鼓状とした場合、操作しやすい向きに自在に回動させ、固定できるように、ヘッドネック部とハンドル部及びテールネック部とハンドル部とは、枢結され、固定可能に嵌装されていることが好ましい。【００５６】
更に、操作性という観点からは、デンタルブラシが最も力を必要とするため、ハンドル部の中心からヘッド部先端までの長さ（ｂ）とハンドル部の中心からテール部先端までの長さ（ｃ）との比が、ｂ：ｃ＝５：５〜８：２であることが好ましく、ｂ：ｃ＝６：４〜７：３であることがより好ましい。操作しやすい長さの比には個人差があるため、長さの比が異なるデンタルクリーナーを準備しておくことによって、利用者各自に適したデンタルクリーナーを提供することができる。機能の異なる用具を一体化することによって、それぞれの用具の操作性が低下するのは一般的に認められることであるが、本発明のデンタルクリーナーには、そのような課題を解消している。【００５７】
本発明のデンタルクリーナーは、上述したように、デンタルブラシ、デンタルフロス、デンタルピック、歯間ブラシ、タフトブラシ、ポリッシャー、タンクリーナー、歯茎マッサージャー、及び、デンタルミラー等、様々な操作の用具が一体化されているため、ヘッド部、ヘッドネック部、ハンドル部、テールネック部、テール部の配置、位置関係、形状等様々な工夫が必要である。【００５８】
ヘッドベースの片面に固着されたデンタルブラシを備えたヘッド部については、デンタルブラシが固着されたヘッドベースの反対面に、ポリッシャー、タンクリーナー、タフトブラシ、歯茎マッサージャー、及び、デンタルミラーのいずれか一つが固着されるため、歯磨きを最も行いやすく、歯の表面と適切に接触するように、ヘッド部のヘッドベースのブラシ固着面傾斜線（Ｘ）と水平線との成す角（α）が７０〜９５°であって、ヘッドネックのデンタルブラシ側表面からデンタルブラシ後端に至る断面円弧部の曲率（Ｄ）が０．０８〜０．５０であることが好ましい。【００５９】
同様に、デンタルブラシの先端から後端までの長さ（ｇ）、幅（ｈ）、及び、長さ（ｎ）が、それぞれ、１０〜１６ｍｍ、７〜１１ｍｍ、及び、４〜１０ｍｍであって、デンタルブラシの先端から後端に至る円弧部の曲率（Ｂ）が０．０７〜０．２０であることが好ましい。【００６０】
このようなデンタルブラシのサイズ及び形状は、デンタルブラシの操作性だけでなく、デンタルブラシが固着されたヘッドベースの反対面に備えられる用具の操作性を考慮して設計されたものである。デンタルブラシの長さは、均一でも不均一でも構わないが、デンタルブラシの長さが大きすぎると、デンタルブラシが固着されたヘッドベースの反対面に備えられる用具の操作が著しく困難になる。【００６１】
また、デンタルブラシに内蔵されたリンスカプセルは、デンタルブラシの中央に取り付けられるため、リンスカプセルが容易に破壊され、歯磨き用液体が供給されるように、リンスカプセルの高さと同程度の長さのデンタルブラシをリンスカプセルに隣接してリンスカプセルの同心円上に形成し、デンタルブラシ外周まで楕円曲線を描きながら徐々に長いブラシを形成することによって、デンタルブラシ先端がドーム状曲面となるようにすることが好ましい。【００６２】
同様の目的で、デンタルブラシの先端から後端に亘り、Ｙ字型に切り取られた裁断デンタルブラシとすることも効果的である。特に、Ｙ字型の中心角（γ）が８０〜１６０°であることが好ましい。【００６３】
デンタルブラシの材質は、一般的に使用されているナイロン及び飽和ポリエステル樹脂を使用することができる。硬さは、柔らかめ、ふつう、及び、硬めのものを、提供することができ、ブラシの太さは、直径約０．１〜０．３ｍｍで均一なものを提供できるが、ブラシ先端が丸く加工されているラウンドブラシ、ブラシ先端が、約０．０１〜０．０３ｍｍの太さになるようにブラシ根元付近から加工された超極細ブラシも準備することができる。更に、ブラシの中央が空洞になった中空ブラシもプラークを除去する効果が高く、より好ましい。【００６４】
また、デンタルブラシは、毛髪のように、ヘッドベースに一本ずつ固着されても構わないが、歯間のプラークを除去する能力を高めるため、タフトブラシのように、数本のデンタルブラシをヘッドベースに一定の間隔を保って固着させる方が好ましい。【００６５】
本発明のデンタルクリーナーの操作はハンドル部の形状とも密接な関係があり、ハンドル部の厚さ（ｆ）、ハンドル部の長さ（ｄ）、及び、幅（ｅ）が、それぞれ、３〜７ｍｍ、８〜３０ｍｍ、及び、５〜１０ｍｍであって、ハンドル部とヘッドネック部との接触点と、ハンドル部とヘッドネック部との接触点が作る断面円弧部（Ａ）の曲率が０〜０．３３であることが好ましい。このように、ハンドル部が太鼓状から樽状まで幅広い形状を必要とするのは、特に、太鼓状ハンドルの場合、上述したように、ハンドル部を回動させ、固定することによって、デンタルクリーナーに備えられた用具を最も操作しやすい向きに設定することが可能となるからである。また、ハンドル部は、手が滑らないように、滑り止め機能を付与することが可能な形状、例えば、クリーク等を設けておくことが好ましい。【００６６】
このように、ヘッド部やハンドル部のサイズや形状を工夫しても、ヘッド部のデンタルブラシを備えたヘッドベースの反対面に装着する用具としては、ポリッシャー及びタンクリーナーが適している。これは、デンタルブラシ、ポリッシャー、及び、タンクリーナーを操作し易く、それぞれの機能が最も効果的に発揮することができるためである。また、ヘッド部にポリッシャー又はタンクリーナーを配備することによって、これら以外の用具である、デンタルフロス、デンタルピック、歯間ブラシ、タフトブラシ、歯茎マッサージャー、及び、デンタルミラーを、テール部又はハンドル部、ヘッドネック部、及び、テールネック部のいずれかの内側に形成される内蔵部に配備することができ、異なる機能をバランスよくデンタルクリーナーに付与することができるためである。【００６７】
従って、歯磨き用液体が水溶性皮膜でカプセル化されたリンスカプセルを内蔵するデンタルブラシをヘッドベースの片面に固着したヘッド部と、ヘッドネックを備えたヘッドネック部と、ハンドル部と、テールネックを備えたテールネック部と、デンタルフロス、デンタルピック、歯間ブラシ、タフトブラシ、タンクリーナー、歯茎マッサージャー、及び、デンタルミラーのいずれか一つを備えたテール部とが、この順に接合されて構成されるデンタルクリーナーにおいて、ヘッドベースのデンタルブラシの固着面の反対面にポリッシャーを備えているデンタルクリーナーが好ましい。【００６８】
また、歯磨き用液体が水溶性皮膜でカプセル化されたリンスカプセルを内蔵するデンタルブラシをヘッドベースの片面に固着したヘッド部と、ヘッドネックを備えたヘッドネック部と、ハンドル部と、テールネックを備えたテールネック部と、デンタルフロス、デンタルピック、歯間ブラシ、タフトブラシ、タンクリーナー、歯茎マッサージャー、及び、デンタルミラーのいずれか一つを備えたテール部とが、この順に接合されて構成されるデンタルクリーナーにおいて、ヘッドベースのデンタルブラシの固着面の反対面にポリッシャーを備え、ヘッドネック又はテールネックのハンドル部側に連設されるデンタルピック、歯間ブラシ、タフトブラシ、タンクリーナー、歯茎マッサージャー、及び、デンタルミラーのいずれか一つが、ハンドル部と脱着可能に、ハンドル部、ヘッドネック部、及び、テールネック部のいずれかの内側に形成される内蔵部に収納されるデンタルクリーナーが好ましい。【００６９】
デンタルブラシを備えたヘッドベースの反対面にポリッシャーが装着される場合、ポリッシャーを操作して歯の表面のステインを効果的に除去するためには、ポリッシャーを固着するヘッドベース面に適切な形状がある。特に、ヘッドベースのポリッシャー固着面傾斜線（ＸＩ）と水平線との成す角（β）が１００〜１１０°であって、ヘッドネックのポリッシャー側表面からデンタルブラシ先端に至る断面円弧部の曲率（Ｅ）が０〜０．０４であることが好ましい。【００７０】
更に、ポリッシャーの長さ（ｐ）、幅（ｑ）、及び、厚さ（о）が、それぞれ、１０〜１６ｍｍ、７〜１１ｍｍ、及び、２〜５ｍｍであって、ポリッシャーの先端から後端に至る外周円弧部の曲率（Ｆ）が０．０７〜０．２０であることが好ましい。【００７１】
ポリッシャーの形状も、このようなフラット型であるよりも、略円柱状ポリッシャーで、円柱状ポリッシャーの直径及び高さが、それぞれ、７〜１１ｍｍ及び２〜５ｍｍである方が、歯の表面のステインを除去し易く、歯のホワイトニングに効果的である。【００７２】
ポリッシャーの形状が略半円球状の凸型ポリッシャーであることがより好ましく、凸型ポリッシャーの高さ（ｓ）及び直径（ｔ）が、それぞれ、５〜８ｍｍ及び８〜１４ｍｍであって、凸型ポリッシャー頂点を含む断面円弧部の曲率（Ｇ）が０．１３〜０．２０であることによって、歯の表面のステインを効果的に除去できる。【００７３】
デンタルブラシを備えたヘッドベースの反対面にタンクリーナーが装着される場合には、歯磨き用液体が水溶性皮膜でカプセル化されたリンスカプセルを内蔵するデンタルブラシをヘッドベースの片面に固着したヘッド部と、ヘッドネックを備えたヘッドネック部と、ハンドル部と、テールネックを備えたテールネック部と、デンタルフロス、デンタルピック、歯間ブラシ、タフトブラシ、ポリッシャー、歯茎マッサージャー、及び、デンタルミラーのいずれか一つを備えたテール部とが、この順に接合されて構成されるデンタルクリーナーにおいて、ヘッドベースのデンタルブラシの固着面の反対面にタンクリーナーを備えているデンタルクリーナーが好ましい。【００７４】
また、歯磨き用液体が水溶性皮膜でカプセル化されたリンスカプセルを内蔵するデンタルブラシをヘッドベースの片面に固着したヘッド部と、ヘッドネックを備えたヘッドネック部と、ハンドル部と、テールネックを備えたテールネック部と、デンタルフロス、デンタルピック、歯間ブラシ、タフトブラシ、ポリッシャー、歯茎マッサージャー、及び、デンタルミラーのいずれか一つを備えたテール部とが、この順に接合されて構成されるデンタルクリーナーにおいて、ヘッドベースのデンタルブラシの固着面の反対面にタンクリーナーを備え、ヘッドネック又はテールネックのハンドル部側に連設されるデンタルピック、歯間ブラシ、タフトブラシ、ポリッシャー、歯茎マッサージャー、及び、デンタルミラーのいずれか一つが、ハンドル部と脱着可能に、ハンドル部、ヘッドネック部、及び、テールネック部のいずれかの内側に形成される内蔵部に収納されるデンタルクリーナーが好ましい。【００７５】
デンタルブラシを備えたヘッドベースの反対面にタンクリーナーが装着される場合にも、タンクリーナーを用いた舌乳頭の舌苔を効果的に除去し、口臭を防止するためには、ヘッドベースのタンクリーナー固着面傾斜線（ＸＩＩ）と鉛直線との成す角（δ）が０〜１０°、タンクリーナー先端の断面円弧部の曲率（Ｉ）が０．１２〜０．３９、デンタルブラシ側ヘッドベース先端からタンクリーナー側ヘッドベース先端に至る断面円弧部の曲率（Ｈ）が０．３０〜０．９８であることが好ましい。【００７６】
一方、テール部には、デンタルフロスを装着することが好ましい。これは、デンタルフロスが、Ｙ字型ホルダーにデンタルフロスが装着されているものであっても、Ｆ字型ホルダーにデンタルフロスが装着されているものであっても、かなりスペースを必要とするためである。【００７７】
従って、歯磨き用液体が水溶性皮膜でカプセル化されたリンスカプセルを内蔵するデンタルブラシをヘッドベースの片面に固着したヘッド部と、ヘッドネックを備えたヘッドネック部と、ハンドル部と、テールネックを備えたテールネック部と、デンタルフロスを備えたテール部とが、この順に接合されて構成されるデンタルクリーナーにおいて、ヘッドベースのデンタルブラシの固着面の反対面にポリッシャーを備えているデンタルクリーナーが好ましい。【００７８】
また、歯磨き用液体が水溶性皮膜でカプセル化されたリンスカプセルを内蔵するデンタルブラシをヘッドベースの片面に固着したヘッド部と、ヘッドネックを備えたヘッドネック部と、ハンドル部と、テールネックを備えたテールネック部と、デンタルフロスを備えたテール部とが、この順に接合されて構成されるデンタルクリーナーにおいて、ヘッドベースのデンタルブラシの固着面の反対面にポリッシャーを備え、ヘッドネック又はテールネックのハンドル部側に連設されるデンタルピック、歯間ブラシ、タフトブラシ、タンクリーナー、歯茎マッサージャー、及び、デンタルミラーのいずれか一つが、ハンドル部と脱着可能に、ハンドル部、ヘッドネック部、及び、テールネック部のいずれかの内側に形成される内蔵部に収納されるデンタルクリーナーが好ましい。【００７９】
デンタルフロスのホルダーがＹ字型の場合、Ｙ字型ホルダーの幅（ｊ）及び長さ（ｋ）が、それぞれ、１５〜２５ｍｍ及び１５〜２５ｍｍであって、Ｙ字型ホルダー先端の断面円弧部の曲率Ｃが０．０３〜０．４６であることデンタルフロスの操作がし易く、歯間のプラークを除去しやすい。【００８０】
デンタルフロスのホルダーがＦ字型の場合、Ｆ字型ホルダーの幅（ｊ）及び長さ（ｒ）が、それぞれ、１５〜２５ｍｍ及び７．５〜１２．５ｍｍであることが、同様に好ましい。【００８１】
このように、デンタルフロスは、その形状の制約を受けるため、テール部に装着することが好ましいが、これに限定されるものではない。歯間のプラーク、歯の表面のステイン、及び、舌乳頭の舌苔の除去、口腔内の状態や歯磨き後の清掃状況の観察という機能をバランスよく備えたデンタルクリーナーとするためには、種々の組み合わせを採用することができる。そのためには、ヘッドネック部とハンドル部、テールネック部とハンドル部とは、自在に置換できるように脱着可能な接合又は嵌装とすることが好ましい。【００８２】
例えば、ヘッドネック部、ハンドル部、テールネック部のいずれかの内側の内蔵部に収納されやすいデンタルピック、歯間ブラシのような歯間のプラークを除去する用具をヘッドネック又はテールネックに連設した場合には、ヘッド部又はテール部に、ポリッシャーやタンクリーナーを装着することが好ましい。また、口腔内の状態や歯磨き後の清掃状況の観察を行うデンタルミラーをヘッドネック又はテールネックに連設して場合、ヘッドネック部、ハンドル部、テールネック部のいずれかの内側の内蔵部に収納する場合、ヘッド部にポリッシャー又はタンクリーナーを装着し、テール部にはデンタルフロスを装着することが好ましい。【００８３】
このように、本発明のデンタルクリーナーは、使用者の重視する機能に応じた用具を自由に選択して備えることが可能である。【００８４】
一方、デンタルブラシに内蔵されるリンスカプセルについても、歯磨きを行い、容易にリンスカプセルが破壊され、歯磨き用液体が供給される好ましい形状がある。リンスカプセルが最も小さな体積となるためには、略球形であることが好ましく、歯磨きに必要な歯磨き用液体が供給されるためには、リンスカプセルの直径（ｉ）が３．５〜５．５ｍｍであって、リンスカプセルが脱落しないように、リンスカプセルを保持する突起を備えていることが好ましい。【００８５】
以上、本発明のデンタルクリーナーに好ましいサイズや形状を中心に説明してきたが、デンタルクリーナーを構成する素材に関しても、それぞれの機能を十分に発揮するために、次のような樹脂が好ましく用いられる。【００８６】
ヘッド部のヘッドベース、ヘッドネック部、ホルダーネック部、及び、デンタルフロスのホルダーは、適度な強度に加え、適度な弾性及び可撓性を有している必要があるため、ポリエチレン（ＰＥ）、ポリプロピレン（ＰＰ）、ポリエステル、ゴム、及び、サーモプラスチックエラストマー（ＴＰＥ）のいずれかであることが好ましい。【００８７】
また、ハンドル部は、ＰＥ、ＰＰ、飽和ポリエステル、ゴム、及び、ＴＰＥ等を用いることができる。しかし、手触りの良い触感と滑り止めを目的として、ゴムであることが好ましく、特に、シリコン系ゴム、ポリウレタン系ゴム（ＰＵＲ）、クロロプレン系ゴム（ＣＲ）、ブタジエン系ゴム（ＢＲ）、イソプレン系ゴム（ＩＲ）、スチレン−ブタジエン系ゴム（ＳＢＲ）、アクリルニトリル−ブタジエン系ゴム（ＮＢＲ）、エチレン−プロピレン系ゴム（ＥＰＲ）、及び、エチレン−プロピレン−ジエン系ゴム（ＥＰＤＭ）のいずれかであることがより好ましい。【００８８】
ポリッシャーは、背景技術で説明したように、強度の問題もなく、発泡体であるために圧縮変形しやすく、歯との接触面積が大きいメラミン樹脂スポンジが好ましく用いられる。しかし、発泡剤を混合したメチロールメラミンとホルムアルデヒドの縮合重合によって形成されているため、極めて高い硬度に起因する歯の摩耗の問題と未反応物として生成物に残留するシックハウス症候群の原因であるホルムアルデヒドに起因する問題があるため、ゴム又はＴＰＥの発泡体で形成されていることが好ましい。特に、ゴムとしては、シリコン系ゴム、ＰＵＲ、ＣＲ、ＢＲ、ＩＲ、ＳＢＲ、ＮＢＲ、ＥＰＲ、及び、ＥＰＤＭのいずれかであることが好ましく、ＴＰＥとしては、スチレン系ＴＰＥ、オレフィン系ＴＰＥ、ウレタン系ＴＰＥ、エステル系ＴＰＥ、及び、アミド系ＴＰＥのいずれかであることが好ましい。【００８９】
更に、デンタルピック及びタンクリーナーは、歯茎及び舌乳頭を痛めず、プラーク及び舌苔を除去するためには、ポリエステル、シリコン系ゴム、ＰＵＲ、ＣＲ、ＢＲ、ＩＲ、ＳＢＲ、ＮＢＲ、ＥＰＲ、ＥＰＤＭ、ハイインパクトポリスチレン（ＨＩＰＳ）、スチレン／ＨＩＰＳブレンドポリマー、及び、アクリロニトリル−ブタジエン−スチレン共重合（ＡＢＳ）樹脂のいずれかであることが好ましい。特に、ＨＩＰＳ及びスチレン／ＨＩＰＳブレンドポリマーが目的を達成するために最も相応しい。【００９０】
そして、歯茎マッサージャーも、歯茎を傷めずマッサージをするため、シリコン系ゴム、ＰＵＲ、ＣＲ、ＢＲ、ＩＲ、ＳＢＲ、ＮＢＲ、ＥＰＲ、及び、ＥＰＤＭのいずれかであることが好ましい。特に、シリコン系ゴムが、柔軟性に富み、撥水性を有し、防汚染性という観点から好ましい。【００９１】
デンタルフロスも、従来のナイロンやポリエステルの撚糸を用いることができるが、フィラメントの断面形状が、フィラメントの中心から外側に３つ以上の均等な突起を有する中空糸であって、突起を円弧で結ぶ外周の直径が３０〜５０μｍであり、５０〜２００本撚り合わされた撚糸であることが、歯間に挿入されやすく、歯茎を傷めることなくプラークを効率よく除去できるので好ましい。このようなフィラメントの素材としては、上記形状を製造しやすいナイロン又はポリエステルであることが好ましい。【００９２】
本発明のデンタルクリーナーは、水が不要で、いつでもどこでも歯磨きができることが大きな特徴であり、そのためには、リンスカプセルの水溶性皮膜及びその皮膜で包含されている歯磨き用液体が極めて重要な役割を担っている。【００９３】
本発明のリンスカプセルの皮膜は、歯磨きによって容易に破壊され、唾液で溶解すると共に、歯磨き用液体を安定して包含する必要があるため、可塑剤を含むゼラチンから形成されている水溶性皮膜であることが好ましい。【００９４】
そして、歯磨き用液体は、水を必要とせず歯磨き可能な液体として、中鎖脂肪酸トリグリセライド、一価高級アルコールの脂肪酸エステル、流動パラフィン、及び、香味料から選択される少なくとも二つ以上を含む、４０〜５５ｃｐｓの粘度の液体であることを特徴としている。【００９５】
また、歯磨き用液体は、水を必要とせず歯磨き可能なだけでなく、清涼感が望まれるため、食用精油と清涼化剤の合計が８５〜９６質量％含まれることが好ましく、食用精油と清涼化剤の合計の内、食用精油が５０〜７０質量％、清涼化剤が５０〜３０質量％含まれることがより好ましい。更に、粘性や味覚等を調整するために、多糖類、二価低級アルコール、三価低級アルコール、グリセリン酢酸脂肪酸エステル、糖アルコール、ポリエーテルオリゴマー、塩化ナトリウム、及び、精製水のいずれか一つ以上の合計が、１５〜４質量％含まれることを特徴としている。【００９６】
特に、食用精油が、綿実油 、オリーブ油、パーム油、パーム核油、ピーナッツ油、菜種油、キャノーラ油、ココナッツ油、アーモンド油、カシュー油、ヘーゼルナッツ油、マカダミア油、モンゴンゴ油、ペカン油、松の実油、ピスタチオ油 、クルミ油 、ごま油、大豆油 、ヒマワリ油 、サフラワー油（紅花油）、コーン油 、ヒョウタン実油、バッファローカボチャ油 、カボチャ実油 、スイカ実油、アサイー油(アサイーベリーエキス)、 カシス油 、ルリジサ種子油、月見草油、アマランサス油、あんず油、リンゴ油、アルガン油、アーティチョーク油、アボカド油、ババス油、モリンガ油、ケープ栗（ヤング・Yangu）油、ココア精油、キャロブ油、コフネヤシ油、コリアンダー種油、ディカ油、アマナズナ油、ヘンプシード油（麻の実油）、カポック油、ラッレマンチア油、マルーラ油、メドウフォーム油、カラシ油、オクラ油、パパイヤ油、シソ油、ペクイ油、ケシ油、プルーン油、キヌア油、ニガー種子油、こめ油、ロイル（Royle）油、サッチャインチ（インカグリーンナッツ）油、ツバキ油、アザミ油、トマト油、コムギ油、カブ油 、及び、ブドウ油から選択されるいずれか一つ以上を含むことが、快く味覚を楽しみながら歯磨きをする上で好ましい。中でも、中鎖脂肪酸トリグリセライドを主成分とすることが、水を必要としない適度な粘性を有するという観点からより好ましく、トリ（カプリル／カプリン酸）グリセライドであることがより更に好ましい。【００９７】
清涼化剤としては、ペパーミント精油（ハッカ油）、スペアミント精油、カンファー（樟脳）精油、オレガノ精油、ユーカリ精油、スピラントール（キバナオランダセンニチエキス）、メントール、メントール誘導体、Ｌ−カルボン、メントン
メントン誘導体、メンタンカルボン酸アミド、２，３−ジメチル−２−（２−プロピル）−酪酸誘導体、メンタン、メンタン誘導体、カルボキサミド、キシリトール、サリチル酸メチルのいずれか一つ以上を含むことが、清涼感という観点から好ましく用いられる。特に、メントール誘導体としては、乳酸メンチル、メトキシプロパンジオール等が好ましく、２，３−ジメチル−２−（２−プロピル）−酪酸誘導体としては、メチルジイソプロピルプロピオン酸アミド（ＷＳ−２３）が好ましい。【００９８】
一方、適度な粘性とするためには、多糖類が、デンプン系多糖類、セルロース系多糖類、及び、前記デンプン系多糖類及び前記セルロース系多糖類以外の多糖類の少なくともいずれか一つ以上を含むことが好ましい。【００９９】
更に、口腔内における粘性の微調整、味覚等の調整には、二価低級アルコールが、プロピレングリコール、１，３−ブタンジオール、エチレングリコール、ジエチレングリコール、トリエチレングリコール、及び、テトラエチレングリコールのいずれかであることが好ましく、三価低級アルコールが、糖アルコールでもあるグリセリンであることが好ましい。また、同様の目的で、グリセリン酢酸脂肪酸エステルが、グリセリンモノアセテート、グリセリンジアセテート、及び、グリセリントリアセテートのいずれかであり、糖アルコールが、エリトリトール、イソマルト、ラクチトール、マルチトール、マンニトール、ソルビトール、及び、キシリトールのいずれかであることが好ましい。更に、ポリエーテルオリゴマーとしては、ポリエチレングリコールが好ましい。【０１００】
このように、歯磨き用液体は、水を用いることなく歯磨きが完了し、さわやかな口中香を必要とするため、粘性及び味覚を唾液との相性も考慮して配合する必要があり、これらの成分がどのような作用効果と関係しているかについては定かではない。【０１０１】
更に、果物等の口中香を楽しむため、各種香料を添加してもよく、視覚的にも、清涼感や食感等を思い浮かばせる各種色素を添加してもよい。
【発明の効果】
【０１０２】
本発明により、歯、歯肉、及び、舌を損傷することなく、プラーク、ステイン、舌苔を除去し、健康的かつ清潔な歯及び口腔を保ち、口臭を防止することができる上、水を全く必要とせず、便利で使い易く、いつでもどこでも歯磨きをすることができるデンタルクリーナーを提供することができる。更に、本発明により、デンタルブラシの補助的清掃用具として、デンタルフロス、デンタルピック、歯間ブラシ、タフトブラシ、ポリッシャー、歯茎マッサージャー、及び、デンタルミラーから、使用者の要望に応じた機能を付与することができるデンタルクリーナーを提供することができる。
【図面の簡単な説明】
【０１０３】
【図１】本発明の一実施形態に係る、リンスカプセルが内蔵されたデンタルブラシとフラット型ポリッシャーとを備えたヘッド部、ヘッドネックを備えたヘッドネック部、太鼓型ハンドルを備えたハンドル部、テールネックを備えたテールネック部、及び、Ｙ字型デンタルフロスを備えたテール部とから構成されるデンタルクリーナーのデンタルブラシ側からみた正面概略図である。
【図２】図１に示したデンタルクリーナーのリンスカプセルが内蔵されたブラシを拡大した正面概略図である。
【図３】図１に示したデンタルクリーナーの右側から見た側面概略図である。
【図４】図３に示したデンタルクリーナーのヘッド部の拡大図である。
【図５】図１に示したデンタルクリーナーのフラット型ポリッシャー側から見た背面概略図である。
【図６】本発明の一実施形態に係る、リンスカプセルが内蔵されたデンタルブラシとフラット型ポリッシャーとを備えたヘッド部、ヘッドネックを備えたヘッドネック部、太鼓型ハンドルを備えたハンドル部、テールネックを備えたテールネック部、及び、Ｙ字型デンタルフロスを備えたテール部とから構成されるデンタルクリーナーにおいて、ハンドル部がヘッドネック及びテールネックの間に枢結されたデンタルクリーナーであって、中心線ＩＸを回転の中心としてハンドル部を９０°回動させた後固定した場合のデンタルブラシ側から見た正面概略図である。
【図７】図６に示したハンディクリーナーの右側から見た側面概略図である。
【図８】本発明の一実施形態に係る、リンスカプセルが内蔵されたデンタルブラシとフラット型ポリッシャーとを備えたヘッド部、ヘッドネックを備えたヘッドネック部、太鼓型ハンドルを備えたハンドル部、テールネックを備えたテールネック部、及び、Ｆ字型デンタルフロスを備えたテール部とから構成されるデンタルクリーナーのデンタルブラシ側からみた正面概略図である。
【図９】本発明の一実施形態に係る、リンスカプセルが内蔵されたデンタルブラシと凸型ポリッシャーとを備えたヘッド部、ヘッドネックを備えたヘッドネック部、太鼓型ハンドルを備えたハンドル部、テールネックを備えたテールネック部、及び、Ｙ字型ホルダーを備えたデンタルフロス部とから構成されるデンタルクリーナーの右側からみた側面概略図である。
【図１０】本発明の一実施形態に係る、リンスカプセルが内蔵されたデンタルブラシとフラット型ポリッシャーとを備えたヘッド部、ヘッドネックを備えたヘッドネック部、樽型ハンドルを備えたハンドル部、テールネックを備えたテールネック部、及び、Ｙ字型ホルダーを備えたデンタルフロス部とから構成されるデンタルクリーナーのデンタルブラシ側からみた正面概略図である。
【図１１】図１０に示したハンディクリーナーの右側から見た側面概略図である。
【図１２】本発明の一実施形態に係る、図１〜８、並びに、図１０及び１１において、デンタルブラシを中央部がＹ字型に切り取られた裁断デンタルブラシに置換したデンタルクリーナーヘッド部の、正面概略図（ａ）、及び、その右側から見た側面概略図である。
【図１３】本発明の一実施形態に係る、図１〜１２において、デンタルブラシをＹ字型に裁断されているデンタルブラシに、及び、ポリッシャーをヘッドタンクリーナーに置換したデンタルクリーナーヘッド部の、右側から見た側面概略図（ａ）、及び、ヘッドタンクリーナー側から見た背面概略図である。
【図１４】本発明の一実施形態に係る、リンスカプセルが内蔵された裁断デンタルブラシとタンクリーナーとを備えたヘッド部、ヘッドネックを備えたヘッドネック部、樽型ハンドルを備えたハンドル部、テールネックを備えたテールネック部、ヘッドネック又はテールネックに連設されたデンタルピック、デンタルピックが収納されるデンタルクリーナー内蔵部、及び、Ｙ字型デンタルフロスを備えたテール部とから構成されるデンタルクリーナーの右側から見た側面概略図（ａ）、図１４（ａ）において、デンタルピックが、ヘッドネックに連設され、樽型ハンドル−テールネック間内蔵部に収納されるデンタルクリーナーの場合における、ヘッドネックを抜脱した状態を示す正面概略図（ｂ）、及び、デンタルピックが、テールネックに連設され、樽型ハンドル−ヘッドネック間内蔵部に収納されるデンタルクリーナーの場合における、テールネックを抜脱した状態を示す正面概略図（ｃ）である。
【図１５】本発明の一実施形態に係る、リンスカプセルが内蔵された裁断デンタルブラシとタンクリーナーとを備えたヘッド部、ヘッドネックを備えたヘッドネック部、樽型ハンドルを備えたハンドル部、テールネックを備えたテールネック部、テールネックに連設された歯間ブラシ、歯間ブラシが収納されるデンタルクリーナー内蔵部、及び、Ｙ字型デンタルフロスを備えたテール部とから構成されるデンタルクリーナーの右側から見た側面概略図（ａ）、及び、図１５（ａ）において、テールネックを抜脱した状態を示す正面概略図（ｂ）である。
【図１６】本発明の一実施形態に係る、リンスカプセルが内蔵された裁断デンタルブラシとタンクリーナーとを備えたヘッド部、ヘッドネックを備えたヘッドネック部、樽型ハンドルを備えたハンドル部、テールネックを備えたテールネック部、ヘッドネックに連設されたデンタルミラー、デンタルミラーが収納されるデンタルクリーナー内蔵部、及び、Ｙ字型デンタルフロスを備えたテール部とから構成されるデンタルクリーナーの右側から見た側面概略図（ａ）、及び、図１６（ａ）において、ヘッドネックを抜脱した状態を示す正面概略図（ｂ）である。
【図１７】本発明の一実施形態に係る、リンスカプセルが内蔵された裁断デンタルブラシとタンクリーナーとを備えたヘッド部、ヘッドネックを備えたヘッドネック部、樽型ハンドルを備えたハンドル部、テールネックを備えたテールネック部、テールネックに連設されたデンタルピック、デンタルピックが収納されるデンタルクリーナー内蔵部、及び、タフトブラシを備えたテール部とから構成されるデンタルクリーナーの右側から見た側面概略図（ａ）、及び、図１７（ａ）において、テールネックを抜脱した状態を示す正面概略図（ｂ）である。
【図１８】本発明の一実施形態に係る、リンスカプセルが内蔵された裁断デンタルブラシとフラット型ポリッシャーとを備えたヘッド部、ヘッドネックを備えたヘッドネック部、樽型ハンドルを備えたハンドル部、テールネックを備えたテールネック部、ヘッドネックに連設されたデンタルピック、デンタルピックが収納されるデンタルクリーナー内蔵部、及び、タンクリーナーを備えたテール部とから構成されるデンタルクリーナーの正面概略図（ａ）、図１８（ａ）に示すデンタルクリーナーの右側から見た側面概略図（ｂ）、及び、図１８（ａ）において、ヘッドネックを抜脱した状態を示す正面概略図（ｃ）である。
【図１９】本発明の一実施形態に係る、リンスカプセルが内蔵された裁断デンタルブラシとタンクリーナーとを備えたヘッド部、ヘッドネックを備えたヘッドネック部、樽型ハンドルを備えたハンドル部、テールネックを備えたテールネック部、テールネックに連設された歯間ブラシ、歯間ブラシが収納されるデンタルクリーナー内蔵部、及び、歯茎マッサージャーを備えたテール部とから構成されるデンタルクリーナーの正面概略図（ａ）、図１９（ａ）に示すデンタルクリーナーの右側から見た側面概略図（ｂ）、及び、図１９（ａ）において、テールネックを抜脱した状態を示す正面概略図（ｃ）である。
【発明を実施するための形態】
【０１０４】
以下、本発明を、一実施形態を用いてより詳細に説明するが、本発明はこれらに限定されるものではなく、本発明の主旨を逸脱しない範囲内で種々変更して実施することが可能であり、特許請求の範囲に記載した技術思想によってのみ限定されるものである。
【０１０５】
本発明の一実施形態に係る、リンスカプセル１−２が内蔵されたデンタルブラシ１−１１とポリッシャー１−４１とが固着されたヘッドベース１−６１を備えたヘッド部１（Ｉ〜ＩＩ）、ヘッドネック２−１を備えたヘッドネック部２（ＩＩ〜ＩＩＩ）、太鼓型ハンドル３−１１を備えたハンドル部３（ＩＩＩ〜ＩＶ）、テールネック４−１を備えたテールネック部４（ＩＶ〜Ｖ）、及び、Ｙ字型デンタルフロス５−１を備えたテール部５（Ｖ〜ＶＩ）とから構成されるデンタルクリーナーのデンタルブラシ側からみた正面概略図を図１に、リンスカプセル１−２が内蔵されたデンタルブラシ１−１１を拡大した正面概略図を図２に、右側から見た側面概略図を図３に示す。また、図４は、図３に示した側面概略図のヘッド部１の拡大図であり、図５は、図１に示したデンタルクリーナーのフラット型ポリッシャー１−４１側から見た背面概略図である。
【０１０６】
これらの図を用いて、本発明の一実施形態を説明する。ヘッド部１のヘッドベース１−６１、ヘッドネック部２のヘッドネック２−１、ハンドル部３の太鼓型ハンドル３−１１、及び、テールネック部４のテールネック４−１は、飽和ポリエステルを用い、テール部５のＹ字型デンタルフロス５−１のホルダーは、ＰＥを用いて作製した。ヘッド部１のデンタルブラシ１−１は、ナイロン樹脂で、約直径０．２ｍｍの均一な太さを有し、ブラシ先端が丸く加工されたラウンドブラシとした。そして、ヘッド部１のポリッシャー１−４１は、メラミン樹脂発泡体とシリコン系ゴムの独立気泡発泡体で作製した。デンタルフロス５−２は、一般的なナイロン製デンタルフロスと、フィラメントの中心から外側に８つの均等な突起を有する中空糸であって、突起を円弧で結ぶ外周の直径が３０〜５０μｍであり、５０〜２００本撚り合わされた撚糸を用いた。
【０１０７】
本発明のハンディデンタルクリーナーの全長ａは約１００ｍｍ、太鼓型ハンドル３−１１の中心からヘッド部１の先端までの長さｂと太鼓型ハンドル３−１１の中心からＹ字型デンタルフロス５−１の先端までの長さｃの比は、ａ：ｂ＝５：５及び７：３で作製した。図には、ａ：ｂ＝５：５であるものを示した。
【０１０８】
ハンドル部３の太鼓型ハンドル３−１１の長さｄ、幅ｅ、及び、厚さｆは、それぞれ、約１１ｍｍ、約６．５ｍｍ、及び、約５．０ｍｍとし、滑りを防止するために、滑り止め防止クリーク３−２を形成した。太鼓型ハンドルの外周円弧部の曲率Ａは、約０．１５３とした。そして、ヘッド部１とヘッドネック部２の境界ＩＩの直径ｍ及びテール部５とテールネック部４の境界Ｖの直径ｍを、それぞれ、約４．０ｍｍとし、ハンドル部３とヘッドネック部２との境界ＩＩＩからヘッド部１とヘッドネック部２の境界ＩＩに、ハンドル部３とテールネック部４との境界ＩＶからテール部５とテールネック部４の境界Ｖに、流線形となるようにヘッドネック２−１及びテールネック４−１を成形した。
【０１０９】
ヘッド部１のデンタルブラシ１−１１の先端から後端までの長さｇ及びデンタルブラシ１−１１の幅ｈは、それぞれ、約１３．５ｍｍ及び約９．０ｍｍとしたので、デンタルブラシ１−１１の先端から後端に至る外周円弧部の曲率は約０．１３４である。デンタルブラシ１−１１の長さｎは、リンスカプセル１−２に隣接するリンスカプセル１−２と同心円状のデンタルブラシ１−１１の部分は、デンタルブラシ固着面傾斜線Ｘからリンスカプセル１−２の頂点の高さである約３．０ｍｍとし、最外周の部分は約８．５ｍｍとし、リンスカプセル１−２周辺からデンタルブラシ１−１１の最外周まで連続的に長くし、デンタルブラシ１−１１全体としては、ドーム状曲面となるように形成した。
【０１１０】
リンスカプセルの直径ｉは約５．０ｍｍで、その頂点は、上述したように、デンタルブラシ固着面傾斜線Ｘから約３．０ｍｍの高さとして、４つのカプセルピン１−３でリンスカプセル１−２を保持している。
【０１１１】
ヘッド部１のヘッドベース１−６１の形状は、図４に示すように、デンタルブラシ固着面傾斜線Ｘと水平線との成す角αが約８２℃、ポリッシャー固着面傾斜線ＸＩと水平線との成す角βが約１０５℃となるように成形した。そして、デンタルブラシ側ヘッドベース１−６１表面からブラシ後端に至る断面円弧部の曲率Ｄを約０．２３４、ポリッシャー側ヘッドベース１−６１表面からブラシ後端に至る断面円弧部の曲率Ｅを約０．００７とした。
【０１１２】
ポリッシャー１−４１の厚さоは約３．０ｍｍで、ポリッシャー１−４１の長さｐ及び幅ｑは、それぞれ、約１２．５ｍｍ及び約８．０ｍｍとしたので、ポリッシャー１−４１の先端から後端に至る外周円弧部の曲率Ｆは約０．１５５である。
【０１１３】
デンタルフロス５−２が取り付けられたＹ字型デンタルフロス５−１から構成されるテール部５については、Ｙ字型デンタルフロスの幅ｊ及び長さｋを、それぞれ、約２０．０ｍｍとした。
【０１１４】
このようにして作製された本発明のデンタルクリーナーは、一例であって、特許請求の範囲に記載した技術思想の範囲内で多種多様な形態及び材質をとることができる。
【０１１５】
例えば、図６に示すように、ヘッド部１、ヘッドネック部２、ハンドル部３、テールネック部４、及び、テール部５とから構成される、上述した大きさ及び形状のデンタルクリーナーにおいては、ハンドル部３がヘッドネック部２及びテールネック部３の間に枢結されたデンタルクリーナーであって、中心線ＩＸを回転の中心としてハンドル部３を回動自在に取り付けられており、所定の位置で固定できるように、螺嵌されている例を挙げることができる。ここでは、９０°回動させた後固定した場合のデンタルブラシ１−１１側から見た正面概略図を示しているが、本発明のデンタルクリーナーを操作しやすい位置で固定することができる。図７は、図６の右側から見た側面概略図である。
【０１１６】
また、図８はテール部５の変形例で、図１に示す本発明の一実施形態であるデンタルクリーナーのテール部５をＦ字型デンタルフロス５−２としたものである。ここでは、Ｆ字型デンタルフロスの幅ｊをＹ字型デンタルフロスの幅ｊと同じ約２０．０ｍｍとし、Ｆ字型デンタルフロスの長さｒを約１０．０ｍｍとしている。
【０１１７】
更に、図９は、ポリッシャーの変形例で、略半円球状の凸型ポリッシャー１−４２とした。ここでは、凸型ポリッシャーの高さｓ及び直径ｔを、それぞれ、６ｍｍ及び１０ｍｍとしたので、凸型ポリッシャー１−４２の頂点を含む断面円弧部の曲率Ｇは、約０．１９６である。
【０１１８】
そして、図１０は、図１〜９に描かれたハンドル部３の太鼓型ハンドル３−１１を樽型ハンドル３−１２に置換したものである。太鼓型ハンドル３−１では、デンタルブラシ１−１１とＹ字型デンタルフロス５−１及びＦ字型デンタルフロス５−２の操作の向きに応じて太鼓型ハンドル３−１１を回転することができるが、持ち方には個人差があり、樽型ハンドル３−１２の方が操作しやすい使用者も数多くいるものと考えられる。従って、本発明のように、ヘッドネック部２とハンドル部３、及び、テールネック部４とハンドル部３と脱着可能としておくことによって、使用者に応じたタイプのデンタルクリーナーを提供できる。また、付属品として提供することによって、使用する清掃用具に応じて操作しやすいハンドルを選択することができる。
【０１１９】
リンスカプセル１−２の歯磨き用液体は、食用精油として、トリ（カプリル酸/カプリン酸）グリセライド５０〜７０質量％と、清涼化剤として、ペパーミント精油１０〜２０質量％、メントール０．５〜２質量％、メトキシプロパンジオール６〜１０質量％、乳酸メンチル３〜７質量％、メントン３〜７質量％、Ｌ−カルボン０．２５〜０．７５質量％、メチルジイソプロピルプロピオン酸アミド（ＷＳ−２３）３〜７質量％、サリチル酸メチル０．２５〜０．７５質量％との混合物からなる食用エッセンス８５〜９６質量％に、カラギーナン１．３５〜４質量％、グアーガム０．０８〜０．４質量％、アラビアガム０．１５〜０．４質量％、寒天０．０８〜０．４質量％、アルギン酸ソーダ０．３〜０．１質量％、デキストリン１．０５〜３．８質量％、デンプン０．１５〜０．９質量％、カルボキシメチルセルロースナトリウム０．０４〜０．２質量％、グリセリン０．２５〜０．７質量％、ポリエチレングリコール≪４００≫０．１５〜０．４質量％、塩化ナトリウム０．１５〜０．８質量％、精製水０．２５〜２．０質量％、色素０．００５〜０．００８質量％を添加して作製した。
【０１２０】
一方、リンスカプセル１−２の皮膜は、ゼラチン２０質量％、カラギーナン２０質量％、酢酸澱粉１０質量％が、トリグリセリド１５質量％、グリセリン１０質量％、ソルビトール５質量％、スクラロース１０質量％、及び、アスパラギン酸ナトリウム１０質量％の組成物１００質量％に対し、着色料として、黄色４号、黄色５号、赤色２号、赤色１０２号、赤色２２７号、及び、青色１号を、それぞれ、０．０１質量％、０．００１質量％、０．０００５質量％、０．０００５質量％、０．０１質量％、及び、０．０００２質量％添加したものから作製した。
【０１２１】
リンスカプセルは、一般的には、ソフトカプセルと呼ばれるもので、その製造方法には、既に技術的に確立されているシームレス式製造方法及びロータリー式製造方法がある（非特許文献１５）。シームレス式製造方法は、同心二重ノズルの内側から内包される薬液を、外側からはゲル化剤などを含む皮膜用液を、それぞれ滴下し、界面張力を用いて２重構造の球体であるシームレスカプセルを製する滴下法とも呼称される方法である。ロータリー式製造方法は、より一般的なソフトカプセル製造法であり、一対の円筒形の金型の間に、２枚のフィルムシートを重ねるように挟み込み、２枚のシートの間に内包される薬液を注入し、金型での圧切・圧着を同時に行う打抜き法とも呼称される方法である。本実施形態では、後者のロータリー式製造方法を用いた。その結果、上記皮膜で上記歯磨き用液体を包含した直径約５．０ｍｍのリンスカプセル１−２を安定して製造することができ、本発明のデンタルクリーナーのヘッド部１のヘッドベース１−６１の凹部に収め、カプセルピン１−３で保持した。
【０１２２】
このようにして製造されたデンタルクリーナーによって、歯磨きを行ったところ、便利で使い易く、プラークやステイン等を取り除く機能に優れ、携帯しやすく、水やペーストを一切必要とすることがなく、いつでもどこでも使用することができることが実証された。
【０１２３】
本発明の一実施形態である、歯磨き用液体が水溶性皮膜でカプセル化されたリンスカプセルを内蔵するデンタルブラシとポリッシャーとデンタルフロスとを備えたデンタルクリーナーについて説明したが、本発明の特許請求の範囲の技術思想に包摂されるデンタルクリーナーは数多くの実施形態があり、その全てを説明するには、膨大な紙面を要する。そこで、以下、本発明の代表的な実施形態を取り上げ、本発明の技術思想を明確にする。
【０１２４】
まず、図１２には、図１〜８、並びに、図１０及び１１に示した、歯磨き用液体が水溶性皮膜でカプセル化されたリンスカプセルを内蔵するデンタルブラシとフラット型ポリッシャーとデンタルフロスとを備えたデンタルクリーナーにおいて、デンタルブラシ１−１１を中央部がＹ字型に切り取られた裁断デンタルブラシ１−１２に置換したデンタルクリーナーヘッド部１の、正面概略図（ａ）、及び、その右側から見た側面概略図を示した。
【０１２５】
図１〜５を用いて説明したデンタルブラシの一実施形態であるデンタルブラシ１−１１は、ヘッド部１の中央に配備されたリンスカプセル１−２に隣接するリンスカプセル１−２の同心円状のデンタルブラシ１−１１の長さをリンスカプセル１−２の高さと略同一とし、リンスカプセル１−２周辺からデンタルブラシ１−１１の最外周に向かって長さを連続的に大きくして、デンタルブラシ１−１１全体がドーム状曲面となるように形成された例を説明した。しかし、本発明のデンタルブラシの形状はこれに限定されるものではない。
【０１２６】
図１２に示すように、デンタルブラシをヘッド部１の中央から、その先端及び後端に亘ってある傾きを持って裁断したデンタルブラシ１−１２も好ましく用いられる。ここでは、一例として、Ｙ字型に裁断した。その中心角を裁断角γとすると、歯磨きを行う際に、リンスカプセル１−２が容易に破壊され、リンスカプセル１−２に包含されている歯磨き用液体が歯全体に行き渡るためには、裁断角γが８０〜１６０°であることが好ましい。また、図１２に描いたデンタルブラシ１−１２は、タフトブラシのような数本の毛束が一定の間隔をもってヘッドベース１−６１に固着されたものであって、通常のデンタルブラシの届かない部分まで清掃することが可能である。このようなデンタルブラシ１−１２も本発明のデンタルクリーナーの一実施形態であって、これに限定されるものではない。
【０１２７】
図１３は、図１〜１２において、デンタルブラシ１−１１をＹ字型に裁断されているデンタルブラシ１−１２に、並びに、ポリッシャー１−４１及びポリッシャー１−４２をヘッドタンクリーナー１−５に置換したデンタルクリーナーのヘッド部１の、右側から見た側面概略図（ａ）、及び、ヘッドタンクリーナー１−５側から見た背面概略図である。
【０１２８】
図から明らかなように、ポリッシャー１−４１及び１−４２をヘッドタンクリーナー１−５に置換することによって、ヘッドベース１−６１の形状をヘッドベース１−６２のように調整する必要がある。これは、ヘッドタンクリーナー１−５を用い、舌乳頭を損傷することなく、舌乳頭の舌苔を確実に除去するためであり、タンクリーナー固着面傾斜線ＸＩＩと鉛直線との成す角δが０〜１０°であることが好ましく、それに伴って、デンタルブラシ１−１２側ヘッドベース１−６２先端からヘッドタンクリーナー１−５側ヘッドベース１−６２先端に至る断面円弧部の曲率Ｈを０．１３〜０．９８にすることが好ましい。ここでは、δを５°、Ｈを０．２として作製した。同様の目的で、ヘッドタンクリーナー１−５先端の断面円弧部の曲率Ｉを０．１２〜０．３９とすることが好ましく、ここでは、０．２とした。また、同じく、ヘッドタンクリーナー１−５の材質も重要な要素で、シリコン系ゴムとスチレン／ＨＩＰＳブレンドポリマーで作製した。ただし、ヘッド部１のデンタルブラシ１−１２のヘッドベース１−６２の固着面と反対側にタンクリーナーを配備する場合には、このような形状とする必要があるが、後述するように、テール部５にテールタンクリーナー５−４を備える場合には、必ずしもこのような形状が適している訳ではない。
【０１２９】
図１４〜１９には、歯磨き用液体が水溶性皮膜でカプセル化されたリンスカプセルを内蔵するデンタルブラシと、デンタルフロス、デンタルピック、歯間ブラシ、タフトブラシ、ポリッシャー、タンクリーナー、歯茎マッサージャー、及び、デンタルミラーから選択される３つが一体化されているデンタルクリーナーの実施形態の一例を示している。特に、歯磨き用液体が水溶性皮膜でカプセル化されたリンスカプセルを内蔵するデンタルブラシをヘッドベースの片面に固着したヘッド部１と、ヘッドネック部２と、ハンドル部３と、テールネック部４と、デンタルフロス、デンタルピック、歯間ブラシ、タフトブラシ、ポリッシャー、タンクリーナー、歯茎マッサージャー、及び、デンタルミラーのいずれか一つを備えたテール部とが、この順に接合されて構成されるデンタルクリーナーにおいて、ヘッドベースのデンタルブラシの固着面の反対面に、ポリッシャー、タンクリーナー、タフトブラシ、歯茎マッサージャー、及び、デンタルミラーのいずれか一つを備え、ヘッドネック又はテールネックのハンドル部側に連設されるデンタルピック、歯間ブラシ、タフトブラシ、ポリッシャー、タンクリーナー、歯茎マッサージャー、及び、デンタルミラーのいずれか一つが、ハンドル部と脱着可能に、ハンドル部、ヘッドネック部、及び、テールネック部のいずれかの内側に形成される内蔵部に収納されるデンタルクリーナーを例示している。
【０１３０】
図１４（ａ）及び（ｂ）は、歯磨き用液体が水溶性皮膜でカプセル化されたリンスカプセル１−２を内蔵するデンタルブラシ１−１２をヘッドベース１−６２の片面に固着したヘッド部１と、ヘッドネック２−１を備えたヘッドネック部２と、樽型ハンドル３−１２２を備えたハンドル部３と、テールネック４−１を備えたテールネック部４と、Ｙ字型デンタルフロス５−１を備えたテール部５とが、この順に接合されて構成されるデンタルクリーナーにおいて、ヘッドベース１−６２のデンタルブラシ１−１２の固着面の反対面に、ヘッドタンクリーナー１−５を備え、ヘッドネック２−１のハンドル部３側に連設されるデンタルピック６−２１が、ハンドル部３と脱着可能に、ハンドル部３−１２２とテールネック部４−１の内側に形成される内蔵部に収納されるデンタルクリーナーを示している。図１４（ａ）は、右側から見た側面概略図であり、図１４（ｂ）は、図１４（ａ）のヘッドネック２−１を引き抜いた状態のデンタルブラシ１−１２側から見た正面概略図である。
【０１３１】
図１４（ａ）及び（ｃ）は、歯磨き用液体が水溶性皮膜でカプセル化されたリンスカプセル１−２を内蔵するデンタルブラシ１−１２をヘッドベース１−６２の片面に固着したヘッド部１と、ヘッドネック２−１を備えたヘッドネック部２と、樽型ハンドル３−１２１を備えたハンドル部３と、テールネック４−１を備えたテールネック部４と、Ｙ字型デンタルフロス５−１を備えたテール部５とが、この順に接合されて構成されるデンタルクリーナーにおいて、ヘッドベース１−６２のデンタルブラシ１−１２の固着面の反対面に、ヘッドタンクリーナー１−５を備え、テールネック４−１のハンドル部３側に連設されるデンタルピック６−１１が、ハンドル部３と脱着可能に、ハンドル部３−１２１とヘッドネック部２−１の内側に形成される内蔵部に収納されるデンタルクリーナーを示している。図１４（ａ）は、右側から見た側面概略図であり、図１４（ｃ）は、図１４（ａ）の樽型ハンドル３−１２１を引き抜いた状態のデンタルブラシ１−１２側から見た正面概略図である。
【０１３２】
これらの図１４（ａ）〜（ｃ）の説明から分かるように、図１４(ａ)は、構成が全く異なる図１４（ｂ）と図１４（ｃ）のデンタルピック６−１１、６−２１を内蔵部に収納した場合を兼用しているが、実際には異なるものである。このように、内蔵する清掃用具を、ヘッドネック２−１及びテールネック４−１のどちらに連接することができるが、操作性という観点から、ヘッド部１に装着する清掃用具、テール部５に装着する清掃用具に応じて決定されることが好ましい。また、図１４（ｂ）においてはハンドル部１とテールネック部４、図１４（ｃ）においてはハンドル部１ヘッドネック部２も脱着可能であり、枢結されると共に固定可能に嵌装しておくことが好ましい。このことによって、各種付属品を準備することによって、使用者が重視したり必要としている清掃用具を自在に取替え使用することができる。
【０１３３】
図１５は、歯磨き用液体が水溶性皮膜でカプセル化されたリンスカプセル１−２を内蔵するデンタルブラシ１−１２をヘッドベース１−６２の片面に固着したヘッド部１と、ヘッドネック２−１を備えたヘッドネック部２と、樽型ハンドル３−１２１を備えたハンドル部３と、テールネック４−１を備えたテールネック部４と、Ｙ字型デンタルフロス５−１を備えたテール部５とが、この順に接合されて構成されるデンタルクリーナーにおいて、ヘッドベース１−６２のデンタルブラシ１−１２の固着面の反対面に、ヘッドタンクリーナー１−５を備え、テールネック４−１のハンドル部３側に連設される歯間ブラシ６−１２が、ハンドル部３と脱着可能に、ハンドル部３−１２１とヘッドネック部２−１の内側に形成される内蔵部に収納されるデンタルクリーナーを示している。図１５（ａ）は、右側から見た側面概略図であり、図１４（ｂ）は、樽型ハンドル３−１２１を引き抜いた状態のデンタルブラシ１−１２側から見た正面概略図である。この場合は、Ｙ字型デンタルフロス５−１と歯間ブラシ６−１２を備えているため、歯間のプラークを強力に除去することができる。
【０１３４】
図１６は、歯磨き用液体が水溶性皮膜でカプセル化されたリンスカプセル１−２を内蔵するデンタルブラシ１−１２をヘッドベース１−６２の片面に固着したヘッド部１と、ヘッドネック２−１を備えたヘッドネック部２と、太鼓型ハンドル３−１１１を備えたハンドル部３と、テールネック４−１を備えたテールネック部４と、Ｙ字型デンタルフロス５−１を備えたテール部５とが、この順に接合されて構成されるデンタルクリーナーにおいて、ヘッドベース１−６１のデンタルブラシ１−１２の固着面の反対面に、フラット型ポリッシャー１−４１を備え、ヘッドネック２−１のハンドル部３側に連設されるデンタルミラー６−３３が、ハンドル部３と脱着可能に、ハンドル部３−１１１とテールネック部４−１の内側に形成される内蔵部に収納されるデンタルクリーナーを示している。図１６（ａ）は、右側から見た側面概略図であり、図１６（ｂ）は、図１６（ａ）のヘッドネック２−１を引き抜いた状態のデンタルブラシ１−１２側から見た正面概略図である。このように、デンタルミラー６−３３を備えることによって、口腔内の状態や、デンタルクリーナー使用後の清掃状況を観察することができる。
【０１３５】
図１７は、歯磨き用液体が水溶性皮膜でカプセル化されたリンスカプセル１−２を内蔵するデンタルブラシ１−１２をヘッドベース１−６２の片面に固着したヘッド部１と、ヘッドネック２−１を備えたヘッドネック部２と、樽型ハンドル３−１２１を備えたハンドル部３と、テールネック４−１を備えたテールネック部４と、タフトブラシ５−３を備えたテール部５とが、この順に接合されて構成されるデンタルクリーナーにおいて、ヘッドベース１−６２のデンタルブラシ１−１２の固着面の反対面に、ヘッドタンクリーナー１−５を備え、テールネック４−１のハンドル部３側に連設されるデンタルピック６−１１が、ハンドル部３と脱着可能に、ハンドル部３−１２１とヘッドネック部２−１の内側に形成される内蔵部に収納されるデンタルクリーナーを示している。図１７（ａ）は、右側から見た側面概略図であり、図１７（ｂ）は、樽型ハンドル３−１２１を引き抜いた状態のデンタルブラシ１−１２側から見た正面概略図である。この場合、タフトブラシ５−３を備えているので、矯正具を装着している歯の周辺、被せ物（クラウン）の周辺、及び、抜けた歯の周辺等、デンタルブラシの毛先が届きにくい箇所の清掃を重視するデンタルクリーナーとして有効である。
【０１３６】
図１８は、歯磨き用液体が水溶性皮膜でカプセル化されたリンスカプセル１−２を内蔵するデンタルブラシ１−１２をヘッドベース１−６１の片面に固着したヘッド部１と、ヘッドネック２−１を備えたヘッドネック部２と、樽型ハンドル３−１２２を備えたハンドル部３と、テールネック４−１を備えたテールネック部４と、テールタンクリーナー５−４を備えたテール部５とが、この順に接合されて構成されるデンタルクリーナーにおいて、ヘッドベース１−６１のデンタルブラシ１−１２の固着面の反対面に、フラット型ポリッシャー１−４１を備え、ヘッドネック２−１のハンドル部３側に連設されるデンタルピック６−２１が、ハンドル部３と脱着可能に、ハンドル部３−１２２とテールネック部４−１の内側に形成される内蔵部に収納されるデンタルクリーナーを示している。図１８（ａ）は、右側から見た側面概略図であり、図１８（ｂ）は、図１８（ａ）のヘッドネック２−１を引き抜いた状態のデンタルブラシ１−１２側から見た正面概略図である。ここで、テール部５に備えられるテールタンクリーナー５−４は、ヘッド部１に装着されるヘッドタンクリーナーと比較すると、幅広いタンクリーナーとすることができ、舌乳頭の舌苔の除去を重視したデンタルクリーナーとすることができる。
【０１３７】
図１９は、歯磨き用液体が水溶性皮膜でカプセル化されたリンスカプセル１−２を内蔵するデンタルブラシ１−１２をヘッドベース１−６２の片面に固着したヘッド部１と、ヘッドネック２−１を備えたヘッドネック部２と、樽型ハンドル３−１２１を備えたハンドル部３と、テールネック４−１を備えたテールネック部４と、歯茎マッサージャー５−５を備えたテール部５とが、この順に接合されて構成されるデンタルクリーナーにおいて、ヘッドベース１−６２のデンタルブラシ１−１２の固着面の反対面に、ヘッドタンクリーナー１−５を備え、テールネック４−１のハンドル部３側に連設される歯間ブラシ６−１４が、ハンドル部３と脱着可能に、ハンドル部３−１２１とヘッドネック部２−１の内側に形成される内蔵部に収納されるデンタルクリーナーを示している。図１９（ａ）は、右側から見た側面概略図であり、図１９（ｂ）は、樽型ハンドル３−１２１を引き抜いた状態のデンタルブラシ１−１２側から見た正面概略図である。この場合、歯茎マッサージャー５−５による歯茎のケアを重視するデンタルクリーナーとして有用である。
【０１３８】
以上、本発明は、使用者のニーズに応じた種々の機能を複数備えたデンタルクリーナーを提供できるだけでなく、特殊な歯磨き用液体が内蔵されているため、水を必要としない歯磨きができる上、極めてコンパクトで携帯が容易で、使い捨て仕様も可能なため、いつでもどこでも歯磨きができるデンタルクリーナーである。また、特許請求の範囲に包摂される実施形態を図１〜図１９に示したが、これらは代表例であって、本発明の主旨を逸脱しない範囲内で種々変更したデンタルクリーナーを実現可能である。
【産業上の利用可能性】
【０１３９】
本発明の、デンタルブラシ、デンタルフロス、デンタルピック、歯間ブラシ、タフトブラシ、ポリッシャー、歯茎マッサージャー、及び、デンタルミラーの材質、構造、及び、組み合わせに関する技術、並びに、歯磨き用液体に関する技術は、歯磨き製品に利用できるだけでなく、様々な化粧品関連製品に利用可能な技術である。
【符号の説明】
【０１４０】
Ｉ〜ＶＩＩＩ  部位分割線（水平線）
ＩＸ  デンタルクリーナー中心線（鉛直線）
Ｘ  デンタルブラシ固着面傾斜線
ＸＩ  ポリッシャー固着面傾斜線
ＸＩＩ  タンクリーナー固着面傾斜線
１  ヘッド部（Ｉ〜ＩＩ）
１−１１  デンタルブラシ
１−１２  裁断デンタルブラシ
１−２  リンスカプセル
１−３  カプセルピン
１−４１  フラット型ポリッシャー
１−４２  凸型ポリッシャー
１−５  ヘッドタンクリーナー
１−６１  ポリッシャーヘッドベース
１−６２  タンクリーナーヘッドベース
２  ヘッドネック部（ＩＩ〜ＩＩＩ）
２−１  ヘッドネック  
３  ハンドル部（ＩＩＩ〜ＩＶ）
３−１１  太鼓型ハンドル
３−１１１  ヘッドネック着脱太鼓型ハンドル  
３−１２  樽型ハンドル
３−１２１  テールネック着脱樽型ハンドル
３−１２２  ヘッドネック着脱樽型ハンドル
３−２  滑り止めクリーク  
４  テールネック部（ＩＶ〜Ｖ）
４−１  テールネック
５  テール部（Ｖ〜ＶＩ）
５−１  Ｙ字型デンタルフロス
５−１２  デンタルフロス
５−２  Ｆ字型デンタルフロス
５−２１  デンタルフロス
５−３  タフトブラシ
５−４  テールタンクリーナー
５−５  歯茎マッサージャー
６  デンタルクリーナー内蔵部
６−１  樽型ハンドル−ヘッドネック間内蔵部
６−２  樽型ハンドル−テールネック間内蔵部
６−３  太鼓型ハンドル−テールネック間内蔵部
６−１１  テールネック（デンタルフロス）連設デンタルピック
６−２１  ヘッドネック連設デンタルピック
６−１２  テールネック（デンタルフロス）連設歯間ブラシ
６−３３  ヘッドネック連設デンタルミラー
６−１４  テールネック（歯茎マッサージャー）連設歯間ブラシ
ａ  デンタルクリーナー全長
ｂ  ハンドル中心からヘッド部先端までの長さ
ｃ  ハンドル中心からホルダー先端までの長さ
ｄ  ハンドルの長さ
ｅ  ハンドルの幅
ｆ  ハンドルの厚さ
ｇ  ブラシ先端からブラシ後端までの長さ
ｈ  ブラシの幅
ｉ  リンスカプセルの直径
ｊ  Ｙ字型及びＦ字型ホルダーの幅
ｋ  Ｙ字型ホルダーの長さ
ｌ  Ｙ字型ホルダーの奥行き
ｍ  境界ＩＩ及びＶの直径
ｎ  ブラシの長さ
о  フラット型ポリッシャーの厚さ
ｐ  フラット型ポリッシャーの長さ
ｑ  フラット型ポリッシャーの幅
ｒ  Ｆ字型ホルダーの長さ
ｓ  凸型ポリッシャーの高さ
ｔ  凸型ポリッシャーの直径
ｕ  内蔵部の長さ
Ａ  ハンドル外周円弧部の曲率
Ｂ  ブラシ外周円弧部の曲率
Ｃ  Ｙ字型ホルダー先端の断面円弧部の曲率
Ｄ  ブラシ側ヘッドベース表面からブラシ後端に至る断面円弧部の曲率
Ｅ  ポリッシャー側ヘッドベース表面からブラシ先端に至る断面円弧部の曲率
Ｆ  ポリッシャー外周円弧部の曲率
Ｇ  凸型ポリッシャー頂点を含む断面円弧部の曲率
Ｈ  デンタルブラシ側ヘッドベース先端からヘッドタンクリーナー側ヘッドベース先端に至る断面円弧部の曲率
Ｉ  タンクリーナー先端の断面円弧部の曲率
α  デンタルブラシ固着面傾斜線（Ｘ）と水平線との成す角
β  ポリッシャー固着面傾斜線（ＸＩ）と水平線との成す角
γ  ブラシ裁断角
δ  タンクリーナー固着面傾斜線（ＸＩＩ）と鉛直線との成す角
【図１】
0006947837.tif 000002
【図２】
0006947837.tif 000003
【図３】
0006947837.tif 000004
【図４】
0006947837.tif 000005
【図５】
0006947837.tif 000006
【図６】
0006947837.tif 000007
【図７】
0006947837.tif 000008
【図８】
0006947837.tif 000009
【図９】
0006947837.tif 000010
【図１０】
0006947837.tif 000011
【図１１】
0006947837.tif 000012
【図１２】
0006947837.tif 000013
【図１３】
0006947837.tif 000014
【図１４】
0006947837.tif 000015
【図１５】
0006947837.tif 000016
【図１６】
0006947837.tif 000017
【図１７】
0006947837.tif 000018
【図１８】
0006947837.tif 000019
【図１９】
0006947837.tif 000020